(57)【特許請求の範囲】
【請求項１】
電柱上に設置された区分開閉器における開閉操作用ハンドルの左右両端側に、所定長さの操作用索条の両端を夫々繋いで垂れ下がり状に吊着すると共に、該操作用索条の折り返し部分となる巻掛け部を挟む両側であって、少なくとも開閉操作用ハンドルの開または閉操作ストローク長を超える距離を隔てた位置に夫々牽引用係合部を設けた上、当該操作用索条巻掛け部を、巻掛け装置部の巻掛け車に捲回して同操作用索条全体が緊張状となる如く組み合わせる一方、巻掛け装置部には、外部からロックおよびアンロック可能とする回転仮止め機構が組み込まれてなるものとしたことを特徴とする電柱上開閉器の開閉操作装置。
【請求項２】
電柱上に設置された区分開閉器における開閉操作用ハンドルの左右両端側に、少なくとも中間部分所定範囲が屈曲変形自在な巻掛け部で形成されてなる所定長さの操作用索条の両端を夫々繋いで垂れ下がり状に吊着すると共に、該操作用索条の折り返し部分を挟む両側であって、少なくとも開閉操作用ハンドルの開または閉操作ストローク長を超える距離を隔てた位置に夫々牽引用係合部を設けた上、当該操作用索条巻掛け部を、電柱中途部に配した巻掛け装置部の巻掛け車に捲回して同操作用索条全体が緊張状となる如く組み合わせる一方、巻掛け装置部には、その巻掛け車単独か、または巻掛け車とそれを経由する操作用索条巻掛け部との双方かの何れかを外部からロックおよびアンロック可能とする回転仮止め機構が組み込まれてなるものとしたことを特徴とする電柱上開閉器の開閉操作装置。
【請求項３】
操作用索条は、その巻掛け部を含む全体がロープやワイヤ、またはチェーン等の屈曲変形自在な素材構造のもので形成されてなる、請求項１記載の柱上開閉器の開閉操作装置。
【請求項４】
操作用索条は、その開閉操作用ハンドルの左右両端側に繋がる部分が棒材や管材で形成され、巻掛け部または巻掛け部を含むその余の部分が屈曲変形自在な素材構造のもので形成されてなる、請求項１記載の電柱上開閉器の開閉操作装置。
【請求項５】
操作用索条は、その巻掛け部だけがチェーンにて形成されてなるものとした、請求項１ないし３何れか記載の電柱上開閉器の開閉操作装置。
【請求項６】
回転仮止め機構は、その巻掛け車の下方に略鉛直状に配置、組み合わされるようにしたものであって、上端に押圧用端部を有し、下端に遠隔操作杆の操作鈎を係合可能とする係合端部を形成し、その間を雄ネジ部に形成してなるロックネジと、該ロックネジを螺着させるロックナットとを具備し、当該ロックネジの係合端部を外部から回動操作してその押圧用端部を巻掛け車の軸芯方向に上下動することにより、同押圧用端部が巻掛け車または巻掛け車に捲回した操作用索条巻掛け部に当接、または同所から離反するようにした、請求項１ないし４何れか記載の電柱上開閉器の開閉操作装置。
【請求項７】
回転仮止め機構は、その巻掛け車の下方に略鉛直状に配置、組み合わされるようにしたものであって、上端に押圧用端部を有し、下端に遠隔操作杆の操作鈎を係合可能とする係合端部を形成し、その間を雄ネジ部に形成してなるロックネジと、該ロックネジを螺着させるロックナットとを具備するものとした上、当該ロックネジは、少なくとも係合端部を含む下方外側が有底筒状の隠蔽用外匡体で包囲状とされ、該隠蔽用外匡体の底面部には、遠隔操作杆の操作鈎の平面形に略一致する形状の操作鈎専用孔が穿設されてなるものに形成され、該操作鈎専用孔を通じて遠隔操作杆操作鈎をロックネジ係合端部に係合し、当該ロックネジの係合端部を外部から回動操作してその押圧用端部を巻掛け車の軸芯方向に上下動することにより、同押圧用端部が巻掛け車または巻掛け車に捲回した操作用索条巻掛け部に当接、または同所から離反するようにした、請求項１ないし４何れか記載の電柱上開閉器の開閉操作装置。
【請求項８】
回転仮止め機構は、その巻掛け車の下方に略鉛直状に配置、組み合わされるようにしたものであって、上端に押圧用端部を有し、下端に遠隔操作杆の操作鈎を係合可能とする係合端部を形成し、その間を雄ネジ部に形成してなるロックネジと、該ロックネジを螺着させるロックナットとを具備するものとした上、当該ロックネジの係合端部が、その下端側の円錐状の案内開放口に続き、その奥部に遠隔操作杆の操作鈎の平面形に略一致する形状の専用係合孔が穿設されてなるものに形成され、当該案内開放口によって遠隔操作杆操作鈎の姿勢を専用係合孔に強制的に誘導して遠隔操作杆操作鈎をロックネジ係合端部の専用係合孔に係合し、当該ロックネジの係合端部を外部から回動操作してその押圧用端部を巻掛け車の軸芯方向に上下動することにより、同押圧用端部が巻掛け車または巻掛け車に捲回した操作用索条巻掛け部に当接、または同所から離反するようにした、請求項１ないし４何れか記載の電柱上開閉器の開閉操作装置。
【請求項９】
地上、または地上付近の電柱中途部まで登った箇所において遠隔操作杆を把手、立設状にして、該操作杆操作鈎で回転仮止め機構のロックネジ係合端部を回動操作してアンロックした上、開閉操作用ハンドルの左右両端部の中、引き倒したい側の端部に繋がれている操作用索条に設けられている牽引用係合部に遠隔操作杆の操作鈎を係合させ、一気に引き下ろして区分開閉器の開閉操作用ハンドルを開または閉操作した後、該遠隔操作杆を用いて回転仮止め機構のロックネジ係合端部を回動操作してロックし、巻掛け車単独か、または巻掛け車とそれを経由する操作用索条巻掛け部との双方かの何れかを外部からロックまたはアンロックすることによって操作用索条の動きを制御し、一旦操作した開閉操作用ハンドルの姿勢を仮固定状に保持するようにしたことを特徴とする、請求項１ないし８何れか記載の電柱上開閉器の開閉操作装置の操作方法。
【請求項１０】
地上、または地上付近の電柱中途部まで登った箇所において遠隔操作杆を把手、立設状にして、該操作杆の操作鈎を、隠蔽用外匡体の操作鈎専用孔を潜らせてからロックネジ係合端部に係合状とするか、ロックネジ係合端部の案内開放口によってその姿勢を強制誘導して専用係合孔に係合状にするかしてから、回転仮止め機構のロックネジ係合端部を回動操作してアンロックした上、開閉操作用ハンドルの左右両端部の中、引き倒したい側の端部に繋がれている操作用索条に設けられている牽引用係合部に遠隔操作杆の操作鈎を係合させ、一気に引き下ろして区分開閉器の開閉操作用ハンドルを開または閉操作した後、該遠隔操作杆を用いて回転仮止め機構のロックネジ係合端部を回動操作してロックし、巻掛け車単独か、または巻掛け車とそれを経由する操作用索条巻掛け部との双方かの何れかを外部からロックまたはアンロックすることによって操作用索条の動きを制御し、一旦操作した開閉操作用ハンドルの姿勢を仮固定状に保持するようにしたことを特徴とする、請求項１ないし８何れか記載の電柱上開閉器の開閉操作装置の操作方法。
【発明の詳細な説明】
【０００１】
【発明の目的】
この発明は、高所に設置された電力用の開閉器における開閉操作装置に関するものであって、特に、地上またはその近傍からの遠隔操作を実現可能とする新規な構造からなる電柱上開閉器の開閉操作装置、および、新規な電柱上開閉器の開閉操作装置の操作方法を提供しようとするものである。
【０００２】
【従来の技術】
電力の保安上の責任分界点に設けられる区分開閉器や分岐開閉器等は、電柱上に設置され、野外高所にあって電気技術者のみが操作できるよう管理されなければならず、受変電設備の点検・清掃および電気工事等に伴う停電操作の際に、開閉器外側に露出状となっている開閉操作用ハンドルを開放操作して電力の投入を停止させ、作業終了後に受電操作し、電力の供給を開始させるものである。
【０００３】
一般に、このような区分開閉器には高圧引込み線が接続されており、開閉操作中の不注意で作業員が感電してしまう虞れがある外、工具類を開閉操作綱や把持環に不用意に引っ掛けて開閉操作用ハンドルを誤って開閉操作してしまう危険がある上、不安定な高所での作業となるので、安全の確保のため別の作業者が立会い、事前に充分な打合せを行って呼称，確認しながら慎重に作業を進める必要があり、高所や足場の悪い所での作業には、体力があって熟練した作業員を人選し、開放操作中は「投入禁止」の標示を行う等、作業責任者は、多方面に渡って細心の注意を払わなければならない。
【０００４】
そこで、この区分開閉器の開閉操作用ハンドルは、例えば、本願出願人自らによる特許第２８５５１３８号公報や、特開平９−１４７６９３号公報等に開示された発明に見られる如く、当該開閉操作用ハンドルの左右端夫々に、下端に把持環を繋着した開閉操作綱が垂れ下がり状に吊着され、その把持環部分を電柱中途に仮固定状となるようにしたものとしておき、作業の都度、電気用帽子や高圧ゴム手袋、電気用長靴、その他防災面等の安全用具を完全装備した作業員が電柱中途、把持環部分が仮固定されている箇所まで登り、作業内容に応じて何れか一方の把持環を直接把持して引き下げ操作することにより、区分開閉器の開閉操作がなし得る構造となっている。
【０００５】
このように、従前からの開閉操作用ハンドルの開閉操作綱は、関係者以外の故意による、あるいは悪戯等による事故を防ぐ目的から、電柱の上側中途部に吊り下げられ、仮固定されるようにした構造となし、一般の人が簡単には近付けず、誤って操作されることがないよう配慮されたものとなっており、そのため、電気技術者が開閉操作を行う際には、開閉操作綱に届く高さ位置まで電柱に登って開閉操作する必要を生じてしまうこととなるが、こうした高所における不安定な姿勢での操作は、暴風雨や積雪等の天候や作業員自身の体調不良等によって不慮の事故を招く虞れがある上、複数箇所の区分開閉器を開閉操作するような場合には、頻繁に電柱への登り降りを繰り返さなければならないことになって、作業員への労働負担を増大させ、点検・清掃作業や工事を遅延させる要因となっていた。
【０００６】
この発明は、以上のとおり、高所に設置された区分開閉器の開閉操作には、これまでのところ電柱の登り降りが不可欠であって、不安定な高所での作業とならざるを得ず、その都度、安全性の確保に努めなければならず、しかもその安全な作業の遂行については、専ら電気技術者の熟練技術と体力とに頼らざるを得なかったという事情に疑問を抱き、区分開閉器の開閉操作の効率化と安全性の向上とを実現できる電柱上開閉器の開閉操作装置を得ることはできないものかとの判断から、逸速くその開発、研究に着手し、長期に渡る試行錯誤と幾多の試作、実験とを繰り返してきた結果、今回、遂に新規な構造からなる電柱上開閉器の開閉操作装置、および新規な電柱上開閉器の開閉操作装置の操作方法を実現化することに成功したものであり、以下では、図面に示すこの発明を代表する実施例と共に、その構成を詳述することとする。
【０００７】
【発明の構成】
図面に示すこの発明を代表する実施例からも明確に理解されるように、この発明の電柱上開閉器の開閉操作装置は、基本的に次のような構成から成り立っている。
即ち、電柱上に設置された区分開閉器における開閉操作用ハンドルの左右両端側に、所定長さの操作用索条の両端を夫々繋いで垂れ下がり状に吊着すると共に、該操作用索条の折り返し部分となる巻掛け部を挟む両側であって、少なくとも開閉操作用ハンドルの開または閉操作ストローク長を超える距離を隔てた位置に夫々牽引用係合部を設けた上、当該操作用索条巻掛け部を、巻掛け装置部の巻掛け車に捲回して同操作用索条全体が緊張状となる如く組み合わせる一方、巻掛け装置部には、外部からロックおよびアンロック可能とする回転仮止め機構が組み込まれてなる構成を要旨とする電柱上開閉器の開閉操作装置である。
【０００８】
この基本的な構成による電柱上開閉器の開閉操作装置を、より具体的な構成によるものとして示せば、電柱上に設置された区分開閉器における開閉操作用ハンドルの左右両端側に、少なくとも中間部分所定範囲が屈曲変形自在な巻掛け部で形成されてなる所定長さの操作用索条の両端を夫々繋いで垂れ下がり状に吊着すると共に、該操作用索条の折り返し部分を挟む両側であって、少なくとも開閉操作用ハンドルの開または閉操作ストローク長を超える距離を隔てた位置に夫々牽引用係合部を設けた上、当該操作用索条巻掛け部を、電柱中途部に配した巻掛け装置部の巻掛け車に捲回して同操作用索条全体が緊張状となる如く組み合わせる一方、巻掛け装置部には、その巻掛け車単独か、または巻掛け車とそれを経由する操作用索条巻掛け部との双方かの何れかを外部からロックおよびアンロック可能とする回転仮止め機構が組み込まれてなるようにした電柱上開閉器の開閉操作装置ということができる。
【０００９】
操作用索条は、電柱上に設置された区分開閉器の開閉操作用ハンドルを遠隔操作可能とする機能を果たすものであって、開閉操作用ハンドルを開閉操作するに充分な強度を有し、地上または地上付近の電柱中途部まで登った箇所から、遠隔操作杆を使用して遠隔操作可能な位置まで垂れ下がり状に吊着された構造とするものであり、その巻掛け部を含む全体がロープやワイヤ、またはチェーン等の屈曲変形自在な素材構造のもので形成されてなるものとすることが可能である外、開閉操作用ハンドルの左右両端側に繋がる部分については棒材や管材を採用し、巻掛け部または巻掛け部を含むその余の部分だけをロープやワイヤ、またはチェーン等といった屈曲変形自在な素材構造のものによって形成されてなるものとすることもでき、巻掛け部は、その操作用索条の中途部、折り返し部分辺りであって、巻掛け装置部の巻掛け車に巻掛け状に装着可能とする機能を果たす部分であり、回転仮止め機構による仮止めを受けて開閉操作用ハンドルを固定するに充分な強度をもつ構造とすべきであって、それらの要求を満たすロープ、ベルト、ワイヤ、またはチェーン等から形成される。
【００１０】
牽引用係合部は、操作用索条の中途部、特に、上記巻掛け部の左右であって、夫々当該巻掛け部の機能に支障を来すことのない所定高さ位置部分に配され、後述の遠隔操作杆の操作鈎を係合可能とする機能を果たすものであり、区分開閉器の開閉操作用ハンドルを操作するに要する牽引力に耐える強度をもって操作用索条の中途部所定箇所に固着または連結する等して設けられたものとすべきであり、遠隔操作杆の操作鈎を直接係合可能とする構造のもの、例えば環状、鈎状等の金具類によるものとしたり、あるいは、ロープ、ベルト、ワイヤ、またはチェーン等の索条自体を小さなループ状に結んだり止めたもの、あるいはまた、上記したとおり、操作用索条として、開閉操作用ハンドルの左右両端側に繋がる部分を棒材や管材を採用するようにしたものにあっては、その棒材や管材の下端近傍を鉤状に形成したり、刳り抜き孔に形成したもの等とすることができる。
【００１１】
巻掛け装置部は、操作用索条の折返し中途部を、その軸芯方向に進退可能に巻掛け可能とし、操作用索条全体が、その巻掛け部を中心に所定距離、即ち開閉操作用ハンドルの開閉操作に必要とする距離分だけ確実に移動し得るようにする機能を果たすものであって、そのため、巻掛け車を組み合わせた構造とした上、操作用索条全体を緊張状となるようにしたものでなければならず、また、所定の状態に維持するために回転仮止め機構を組み込んでなるものとしなければならず、全体は、電柱の中途部所定箇所に強固に固定されるようにした構造とすべきであって、巻掛け車および回転仮止め機構の夫々が同一の取付け構造によって固定されるようにするのが望ましいが、場合に因っては、巻掛け車と回転仮止め機構とを、夫々個別の固定構造によって電柱所定箇所に取着、固定するようにしたものとすることも可能である。
【００１２】
巻掛け車は、操作用索条の巻掛け部を巻き付けけて左右に略Ｕ字状に折り返すようにし、当該巻掛け部を中心に操作用索条を軸芯方向に進退操作されるように支持する機能を果たすものであり、外周面を平面状または溝状に形成し、ロープ、ワイヤ、ベルト、チェーン等を巻掛け可能に構成したものとする外、操作用索条の少なくとも巻掛け部にチェーンを採用するようにしたもの場合には、それを巻掛け可能とするようにしたスプロケット状または歯車状に形成したものとすることも可能である。
【００１３】
回転仮止め機構は、操作用索条の状態を一時的に固定し、その軸芯方向への移動を停止させて仮止めした状態とすることにより、開閉操作した操作用ハンドル姿勢をその状態に維持し続けるようにする機能を果たすものであって、後述の実施例に取り上げている事例に代表されるように、ロープ、ワイヤ、ベルト等を巻掛け車との間に押圧し、その摩擦力で仮止めするようにした構造のものとすることができる外、チェーンの目に噛合する係止体を進退動作させ、近接して係止、後退して開放する構造のものとしたり、あるいは、巻掛け車に直接当接し、巻掛け車自体の回転を阻止することにより、結果的に操作用索条の移動を仮止めするようにした構造、例えば、巻掛け車自体にブレーキ構造を設け、巻掛け車円周縁に直接当接して仮止めする構造や、巻掛け車両側面を挟圧したり、その軸棒に直接当接、あるいは軸棒に軸裝したギアに噛合するようにした構造のもの等とすることができる。
【００１４】
更に具体的には、この回転仮止め機構の構造は、その巻掛け車の下方に略鉛直状に配置、組み合わされるようにしたものであって、上端に押圧用端部を有し、下端に遠隔操作杆の操作鈎を係合可能とする係合端部を形成し、その間を雄ネジ部に形成してなるロックネジと、該ロックネジを螺着させるロックナットとを具備し、当該ロックネジの係合端部を外部から回動操作してその押圧用端部を巻掛け車の軸芯方向に上下動することにより、同押圧用端部が巻掛け車または巻掛け車に捲回した操作用索条巻掛け部に当接、または同所から離反するようにした構造としたものである。
【００１５】
あるいは、その巻掛け車の下方に略鉛直状に配置、組み合わされるようにしたものであって、上端に押圧用端部を有し、下端に遠隔操作杆の操作鈎を係合可能とする係合端部を形成し、その間を雄ネジ部に形成してなるロックネジと、該ロックネジを螺着させるロックナットとを具備するものとした上、当該ロックネジは、少なくとも係合端部を含む下方外側が有底筒状の隠蔽用外匡体で包囲状とされ、該隠蔽用外匡体の底面部には、遠隔操作杆の操作鈎の平面形に略一致する形状の操作鈎専用孔が穿設されてなるものに形成され、該操作鈎専用孔を通じて遠隔操作杆操作鈎をロックネジ係合端部に係合し、当該ロックネジの係合端部を外部から回動操作してその押圧用端部を巻掛け車の軸芯方向に上下動することにより、同押圧用端部が巻掛け車または巻掛け車に捲回した操作用索条巻掛け部に当接、または同所から離反するようにした回転仮止め機構である。
【００１６】
また、この回転仮止め機構には、その巻掛け車の下方に略鉛直状に配置、組み合わされるようにしたものであって、上端に押圧用端部を有し、下端に遠隔操作杆の操作鈎を係合可能とする係合端部を形成し、その間を雄ネジ部に形成してなるロックネジと、該ロックネジを螺着させるロックナットとを具備するものとした上、当該ロックネジの係合端部が、その下端側の円錐状の案内開放口に続き、その奥部に遠隔操作杆の操作鈎の平面形に略一致する形状の専用係合孔が穿設されてなるものに形成され、当該案内開放口によって遠隔操作杆操作鈎の姿勢を専用係合孔に強制的に誘導して遠隔操作杆操作鈎をロックネジ係合端部の専用係合孔に係合し、当該ロックネジの係合端部を外部から回動操作してその押圧用端部を巻掛け車の軸芯方向に上下動することにより、同押圧用端部が巻掛け車または巻掛け車に捲回した操作用索条巻掛け部に当接、または同所から離反するようにした構成からなるもの等も包含している。
【００１７】
【関連する発明】
この発明の基本をなす、上記した電柱上開閉器の開閉操作装置に関連して、この発明には、その電柱上開閉器の開閉操作装置の操作方法も包含しており、その構成の要旨は、基本的に次のとおりのものである。
即ち、地上、または地上付近の電柱中途部まで登った箇所において遠隔操作杆を把手、立設状にして、該操作杆操作鈎で回転仮止め機構のロックネジ係合端部を回動操作してアンロックした上、開閉操作用ハンドルの左右両端部の中、引き倒したい側の端部に繋がれている操作用索条に設けられている牽引用係合部に遠隔操作杆の操作鈎を係合させ、一気に引き下ろして区分開閉器の開閉操作用ハンドルを開または閉操作した後、該遠隔操作杆を用いて回転仮止め機構のロックネジ係合端部を回動操作してロックし、巻掛け車単独か、または巻掛け車とそれを経由する操作用索条巻掛け部との双方かの何れかを外部からロックまたはアンロックすることによって操作用索条の動きを制御し、一旦操作した開閉操作用ハンドルの姿勢を仮固定状に保持するようにしたものである。
【００１８】
この基本的な構成による電柱上開閉器の開閉操作装置の操作方法は、更に具体的には、地上、または地上付近の電柱中途部まで登った箇所において遠隔操作杆を把手、立設状にして、該操作杆の操作鈎を、隠蔽用外匡体の操作鈎専用孔を潜らせてからロックネジ係合端部に係合状とするか、ロックネジ係合端部の案内開放口によってその姿勢を強制誘導して専用係合孔に係合状にするかしてから、回転仮止め機構のロックネジ係合端部を回動操作してアンロックした上、開閉操作用ハンドルの左右両端部の中、引き倒したい側の端部に繋がれている操作用索条に設けられている牽引用係合部に遠隔操作杆の操作鈎を係合させ、一気に引き下ろして区分開閉器の開閉操作用ハンドルを開または閉操作した後、該遠隔操作杆を用いて回転仮止め機構のロックネジ係合端部を回動操作してロックし、巻掛け車単独か、または巻掛け車とそれを経由する操作用索条巻掛け部との双方かの何れかを外部からロックまたはアンロックすることによって操作用索条の動きを制御し、一旦操作した開閉操作用ハンドルの姿勢を仮固定状に保持するようにした構成を要旨とするものであるということができる。
【００１９】
なお、この発明における電柱上開閉器とは、所謂電柱上に設置された開閉器に限定するものではなく、当該開閉器を所定高さ位置に設置するものの総称としての電柱であって、したがって、鉄塔やその外の建築物等の高所に設置された開閉器全てを対象としており、この発明には、高所に設置された開閉器の開閉操作用ハンドルを地上、もしくは地上付近等から操作可能とする開閉操作装置、およびその操作方法の全てが包含されていることは言うまでもないことである。
以下、上記したこの発明の構成がより一層明確になるよう、図面に示すこの発明を代表する実施例について詳述することとする。
【００２０】
【実施例１】
図１の電柱上開閉器の開閉操作装置の斜視図、図２の巻掛け装置部の斜視図、および図３の牽引用係合部の斜視図に示される事例は、回転仮止め機構に隠蔽用外筐体を設けた構成からなるものであって、この発明に包含される電柱上開閉器の開閉操作装置における代表的な実施例を示している。
当該電柱上開閉器の開閉操作装置１は、電柱９上に設置された区分開閉器９１における開閉操作用ハンドル９２の左右両端側に、所定長さの天然繊維または合成樹脂製のロープからなる操作用索条２の両端を夫々繋いで垂れ下がり状に吊着し、該操作用索条２中間部分の所定範囲である巻掛け部２１を、電柱９中途部に配した巻掛け装置部３に対して回転自在に軸着された巻掛け車３１に巻掛け、操作用索条２の全体が緊張状となる如く組み合わせたものとしており、操作用索条２の巻掛け部２１両側の、開閉操作用ハンドル９２の開または閉操作ストローク長を越える距離を隔てた位置の夫々に、図３中に示すように、中心に操作用索条２を通した状態で、短柱状の牽引用係合部２２，２２を夫々固着している。
【００２１】
巻掛け車３１の下方には、上端に押圧用端部５１、中途部に雄ネジ部５２、下端に遠隔操作杆８の操作鈎８１を係合可能とする環状の係合端部５３を形成したロックネジ５が鉛直状に配され、雄ネジ部５２を、巻掛け装置部３に一体に固着されたロックナット６に螺合し、回動操作することにより、該押圧用端部５１を巻掛け車３１に巻き掛けられた操作用索条２を側方から押圧可能に構成された回転仮止め機構４が設けられている。
【００２２】
ロックナット６には、有底筒状をなしてロックネジ５の全体を包囲する隠蔽用外筐体７の上端面中央部が固着され、ロックネジ５係合端部５３の鉛直下方に位置する底部中央には、遠隔操作杆８の操作鈎８１の平面形に略一致する長方形状の操作鈎専用孔７１が肉厚方向に貫通状に穿孔されたものとなっている。
【００２３】
開閉操作装置１の操作用索条２は、上述の構造の外に、図４の電柱上開閉器の開閉操作装置の斜視図に示すように、操作用索条２の巻掛け部２１を除く範囲であって、牽引用係合部２２，２２よりも上側に位置する部分の、開閉操作用ハンドル９２までの範囲を、上下端に連結構造部を有する金属棒材２３，２３に置き替えた構造としたものとすることができる。
【００２４】
【実施例２】
図５のチェーンを巻き掛けた巻掛け装置部の斜視図、および図６の環型の牽引用係合部の斜視図に示される事例は、操作用索条の、少なくとも巻掛け部となる範囲にチェーンを用いた構成を特徴とするものであって、この発明に包含される他の実施例による電柱上開閉器の開閉操作装置を示してある。
当該電柱上開閉器の開閉操作装置は、区分開閉器９１の開閉操作用ハンドル９２両端に繋がれた操作用索条２の全体、または、巻掛け部２１だけをチェーンによって形成したものであって、必要に応じて該巻掛け部２１の両端部から開閉操作用ハンドル９２両端までの間に金属製あるいは牽引操作に耐え得る充分な強度を有する他の素材からなる棒材２３，２３や管材等の棒状素材からなる連結部材を設けた構成とすることが可能であり、操作用索条２巻掛け部２１両側の、開閉操作用ハンドル９２の開閉操作ストローク長を越える距離を隔てた中途位置の夫々に、図６に示すような環型であって、金属製の牽引用係合部２２，２２が、夫々強固に結着されたものとなっている。また、隠蔽用外筐体７の底部外周縁を下方に向けて延伸した筒状延伸部７２を設け、操作鈎専用孔７１を周囲から隠蔽するよう構成したものとしている。
【００２５】
隠蔽用外筐体７は、ロックナット６または巻掛け装置部３の何れかの箇所に固定的に固着する構造の外、図７の案内開放口を形成した隠蔽用外筐体を設けた巻掛け装置部の斜視図に示されるように、ロックネジ５の中途部に回動自在な状態で吊り下げられた構造とすることが可能であり、更にまた、隠蔽用外筐体７底部に形成された操作鈎専用孔７１の下方には、同操作鈎専用孔７１の開口形状を下方に向かうに従って次第に拡大する案内開放口７３を一体に設けたものとすることが可能であり、遠隔操作杆８操作鈎８１の平面形状が、長方形状の場合には、下方に行くほど開口部平面形状の四辺が長くなる錐状の案内開放口７３となるように形成するとよい。
【００２６】
【実施例３】
図８の遠隔操作杆の斜視図に示された事例は、この発明における開閉操作装置１を遠隔操作する代表的な構造からなる操作杆を示すものであり、ここに取り上げた遠隔操作杆８は、一端にグリップ部８３が設けられ、他端側に仮固定用締付け冠８４を螺着してなる操作杆本体８２と、該操作杆本体８２の仮固定用締付け冠８４端面を貫通した状態であって、基端側を操作杆本体８２内に進退自在に装着し、突出した先端部を鈎状に折曲することにより、操作鈎８１が形成された伸縮杆部８５とから形成されたものであり、該仮固定用締付け冠８４を螺解方向に回動操作することにより、操作杆本体８２の他端側が拡開され、伸縮杆部８５が進退移動自在となり、仮固定用締付け冠８４を螺合方向に操作すれば、操作杆本体８２の他端側が縮径され、伸縮杆部８５を仮固定するよう構成されたものとなっている。
【００２７】
【実施例４】
図９の斜視図に示される事例は、この発明における開閉操作装置１を遠隔操作する操作杆の、上記した実施例と異なる構造からなるものであって、クランクハンドルを設けた遠隔操作杆の一実施例であり、遠隔操作杆８は、操作杆本体８２一端側に、外周回りに回動自在なグリップ部８３を設け、同他端側に仮固定用締付け冠８４を螺着し、先端に操作鈎８１が形成された伸縮杆部８５の基端側を該仮固定用締付け冠８４に貫通する状態に装着し、仮固定用締付け冠８４を緩めると伸縮杆部８５が伸縮自在となり、締め付けると仮固定される構造となっており、更に、操作杆本体８２のグリップ部８３の末端側に延長された端部には、クランクハンドル８６が一体に設けられ、グリップ部８３を保持した状態で、クランクハンドル８６を回転操作すれば、操作鈎８１が連動して回転する構造となっている。
【００２８】
【作用】
以上のとおりの構成からなるこの発明の電柱上開閉器の開閉操作装置は、この発明に包含される電柱上開閉器の開閉操作装置の操作方法のとおり、以下に示すような手順で操作される。
即ち、図８または図９に示すような遠隔操作杆８の伸縮杆部８５を伸縮、仮固定することにより、地上から電柱９の中途部に設けられた開閉操作装置１に達する適宜長さに調節し、図２中に鎖線で示されるように、操作鈎専用孔７１を通じて操作鈎８１をロックネジ５の係合端部５３に係合させ、押圧用端部５１が巻掛け車３１から後退するよう回動操作し、操作用索条２が自在に移動できる状態にアンロックした後、操作鈎８１を係合端部５３から外して操作鈎専用孔７１を通じて抜き外し、区分開閉器９１開閉操作用ハンドル９２の開閉何れか操作目的側の牽引用係合部２２上部に、同遠隔操作杆８の操作鈎８１を、図３中に示すよう係合させ、矢印方向に一気に引き下ろして開閉操作用ハンドル９２を遠隔操作し、再度、操作鈎専用孔７１に潜らせた操作鈎８１をロックネジ５の係合端部５３に係合させて回動操作し、押圧用端部５１を巻掛け車３１に巻掛けられた操作用索条２の巻掛け部２１に圧接させ、その摩擦力で、操作用索条２が軸芯方向に移動してしまうのを阻止して仮止めされる。
【００２９】
隠蔽用外筐体７は、ロックネジ５を包囲して、外部からその仮止め構造を理解できない状態に隠蔽し、操作鈎専用孔７１を通過可能な操作鈎８１によってのみ操作可能な構造とされている。また、図４に示される開閉操作装置１のように、操作用索条２の開閉操作用ハンドル９２側の一部を金属製棒材２３，２３から形成すれば、操作用索条２の耐久性を高めると共に、強風によるバタツキを阻止することが可能である。
【００３０】
また、図５に示されるように，操作用索条２の巻掛け部２１をチェーンで形成すれば、巻掛け車３１との接触による磨耗を低減させて耐久性を高め、ロックネジ５の押圧用端部５１が確実に係合され、開閉操作装置１の仮止めを強固且つ確実に行うものとし、更に隠蔽用外筐体７の底面外周縁を延伸させ、筒状延伸部７２としたことから、操作鈎専用孔７１を包囲して外部に露出しないよう隠すことが可能となる。
【００３１】
また、図７中の隠蔽用外筐体７のように、操作鈎専用孔７１の下方に延伸された拡開状の案内開放口７３を形成すれば、地上から上向きで遠隔操作杆８を操作するという作業にも拘らず、操作鈎８１が案内開放口７３のテーパ状壁面に案内され、操作鈎専用孔７１の形状や向きに応じて操作鈎８１が誘導され、操作鈎専用孔７１を確実に通過するものとなる。更にまた、図９に示す遠隔操作杆８は、グリップ部８３を把持して操作杆本体８２を鉛直状に立てた状態に支え、クランクハンドル８６を回転操作すれば、これに連動して伸縮杆部８５先端側に形成された操作鈎８１が回転するので、操作杆本体８２を手送りで回転させる必要がなくなる。
【００３２】
【効果】
以上のとおり、この発明の電柱上開閉器の開閉操作装置によれば、開閉器の開閉操作用ハンドルに繋いだ操作用索条中途部の巻掛け部を、電柱中途部に配した巻掛け装置部の巻掛け車に捲回し、緊張状となるよう組み合わせたことにより、暴風雨等の悪天候の際の操作用索条のバタツキを無くし、操作用索条の折り返し部分を挟む両側に設けられた牽引用係合部に、遠隔操作杆の操作鈎を係合して一気に引き下げることにより、地上から、あるいは電柱の地上付近に登った位置から容易に遠隔開閉操作することが可能となり、従前までであれば、安全ベルトや命綱の準備や高所作業車の利用等、電柱高所までの登り降りに多大な労力と経費とを割かなければならなかったが、このような非効率さを一気に解消することができるものとなり、開閉操作に要していた手間が省かれると共に、高所で高電圧を取り扱うという危険な作業を不要となし、作業効率を大幅に高めることができるようになるという極めて秀れた特徴が得られるものである。
【００３３】
また、この発明の電柱上開閉器の開閉操作装置の操作方法によれば、遠隔操作杆を用い、地上から、もしくは地上付近から遠隔操作することにより、電柱の高所まで登り降りすることもなく、回転仮止め機構のロック・アンロック操作を行うことができる上、遠隔操作杆の操作鈎を所望する開閉操作側にある牽引用係合部に係合させ、一気に引き下ろせば、開閉器の開閉操作用ハンドルを確実に開閉操作することができ、更に、回転仮止め機構を隠蔽状とする隠蔽用外箱体底部に形成された操作鈎専用孔に、遠隔操作杆の操作鈎を潜らせ、ロックネジの係合端部に係合させて回動操作することによって隠蔽状となり、部外者である一般の人々には内部構造が理解できない構造であり、操作鈎専用孔形状に合致する操作鈎しか使用できないので、関係者以外の操作が不可能となり、無用な悪戯を未然に防止して安全に保つことができるという秀れた効果を奏するものとなる。
【００３４】
特に、実施例に説明した開閉操作装置１は、上記した特徴に加え、操作用索条２の一部に、図４中に示すような金属製の棒材２３，２３を用いることにより、操作用索条２の耐久強度を高め、暴風によるバタツキを無くして、より確実な開閉操作性を確保できるものとすることができ、図５に示されるように、操作用索条２の巻掛け部２１を金属製のチェーンによって形成すれば、操作用索条２の強度を高め、回転仮止め機構４による仮止めを確実に行うことができるという利点が得られるものとなる。
【００３５】
また、隠蔽用外筐体７底部に形成した操作鈎専用孔７１付近に、図７中に示すような案内開放口７３を形成したことにより、延伸させた遠隔操作杆８の操作鈎８１であっても、容易に操作鈎専用孔７１に潜らせることが可能となり、開閉操作用ハンドル９２のロック・アンロック作業が、一段と簡単になって作業効率を大幅に改善することができ、更にまた、図８および図９に示すような伸縮型の遠隔操作杆８を採用するようにしたものでは、作業に際して折り畳んで運搬することを可能にするものであって、その取り扱い性に秀れたものとなる上、クランクハンドル８６を操作してロックネジ５を効率的に回転操作できることから、作業性に富んだものになるという実用的な効果が発揮されるものとなる。
【００３６】
叙述の如く、この発明の電柱上開閉器の開閉操作装置、およびその操作方法は、その新規な構成によって所期の目的を遍く達成可能とするものであり、しかも製造も容易で、従前からの開閉操作装置と略同等の単価で製造可能であって、電柱への登り降りを解消し、開閉作業の効率を大幅に高めることができることから、費用の削減と工期の短縮とを確実に達成可能にするものであり、効率的な作業が求められる電気設備業界において高く評価され、広範に渡って利用、普及していくものになると予想される。
【図面の簡単な説明】
図面は、この発明の電柱上開閉器の開閉操作装置、およびその操作方法の技術的思想を具現化した幾つかの代表的な実施例を示すものである。
【図１】電柱上開閉器の開閉操作装置を示す斜視図である。
【図２】巻掛け装置部の構造を示す斜視図である。
【図３】牽引用係合部の構造を示す斜視図である。
【図４】操作用索条の変形例を示す斜視図である。
【図５】チェーンを使用した開閉操作装置を示す斜視図である。
【図６】環状に形成した牽引用係合部を示す斜視図である。
【図７】案内開放口を設けた隠蔽用外筐体を示す斜視図である。
【図８】伸縮構造を有する遠隔操作杆を示す斜視図である。
【図９】クランクハンドルを設けた遠隔操作杆を示す斜視図である。
【符号の説明】
１      開閉操作装置
２      操作用索条
２１    同  巻掛け部
２２    同  牽引用係合部
２３    同  金属製の棒材
３      巻掛け装置部
３１    同  巻掛け車
４      回転仮止め機構
５      ロックネジ
５１    同  押圧用端部
５２    同  雄ネジ部
５３    同  係合端部
６      ロックナット
７      隠蔽用外筐体
７１    同  操作鈎専用孔
７２    同  筒状延伸部
７３    同  案内開放口
８      遠隔操作杆
８１    同  操作鈎
８２    同  操作杆本体
８３    同  グリップ部
８４    同  仮固定用締付け冠
８５    同  伸縮杆部
８６    同  クランクハンドル
９      電柱
９１    同  区分開閉器
９２    同  開閉操作用ハンドル
【図１】
0004185655.tif 000002
【図２】
0004185655.tif 000003
【図３】
0004185655.tif 000004
【図４】
0004185655.tif 000005
【図５】
0004185655.tif 000006
【図６】
0004185655.tif 000007
【図７】
0004185655.tif 000008
【図８】
0004185655.tif 000009
【図９】
0004185655.tif 000010